(57)【特許請求の範囲】
【請求項１】
断面角形をしたロッドの途中に物体を解除可能に固定するロッド固定ユニットであって、
上下の壁部に、前記ロッドの貫通を許容し、かつ前記ロッドの軸回りの回転を規制する角形孔として形成された開口部を各々設けて、前記ロッドに対して上下方向移動可能に取り付けられたケースと、
前記ロッドを挟んで前記ケースの内面にそれぞれ固定して取り付けられていると共に、互いに対向する面に前記ケースの上壁部側から下壁部側に向かうに従って徐々に外側へ開く傾斜状をした楔面を有する１対のレールと、
前記１対のレールの前記楔面と前記ロッドの側面との間に各々噛み込ませる１対のローラと、前記ローラの両端を支持して前記ローラを回転自在に保持する切欠部と、前記ロッドの貫通を許容する開口と、を有して、前記ロッドに上下方向移動可能に取り付けられたリテーナと、
前記開口を挟んで対向するように設けられ、前記１対のローラが前記１対のレールの楔面と前記ロッドとの間に噛み込む方向へ、前記リテーナをバネ付勢している弾性部材と、
前記１対のローラによる前記噛み込みを解放可能なリリーススイッチと、
を備えていることを特徴とするロッド固定ユニット。
【請求項２】
前記レールの前記楔面と前記ローラと前記リリーススイッチを、それぞれ前記ロッドの平面状をした側面に対向配置してなる、ことを特徴とする請求項１に記載のロッド固定ユニット。
【請求項３】
前記ケースは、前記ロッドの側面と平行な側壁部に前記物体を固定する物体取付部を有し、前記ローラは前記物体取付部と対向しているロッドの側面と略直交した位置にあるロッドの側面に対向して設けられている、ことを特徴とする請求項１又は２に記載のロッド固定ユニット。
【請求項４】
前記ケースの上壁部側に、前記ロッドの貫通を許容する開口を有し、かつ前記ケースの上壁部側を密に閉じるステータを取り付けてなる、ことを特徴とする請求項１、２又は３に記載のロッド固定ユニット。
【請求項５】
前記ケースの下壁部側に、前記ロッドの貫通を許容する開口を有し、かつ前記ケースの下壁部側を密に閉じるキャップを取り付けてなる、ことを特徴とする請求項１、２、３又は４に記載のロッド固定ユニット。
【請求項６】
前記１対のレールは、異なる傾斜角で形成された楔面を有するレールと交換可能に形成してなる、ことを特徴とする請求項１、２、３、４又は５に記載のロッド固定ユニット。
【発明の詳細な説明】
【技術分野】
【０００１】
本発明はロッド固定ユニットに関するものであり、特に、ディスプレイスタンド等におけるロッドの途中に、ディスプレイ等の物体を解除可能に固定するためのロッド固定ユニットに関するものである。
【背景技術】
【０００２】
従来、ディスプレイ用スタンド、医療用の点滴スタンド等では、ディスプレイ(「モニター」とも言う)の高さあるいは点滴器具の高さを調整にして使用できるようになっている。その高さ調整を可能にする固定ユニット(クランパ)は、例えば特許文献１等で知られている。
【０００３】
特許文献１等で知られる固定ユニットは、円筒状のロッド(「シャフト」とも言う)にクランパ固定ユニットを取り付け、これを直線方向(例えば高さ方向)に移動させて任意の位置でクランプし、その位置を確保できるようにしている。また、この構造では、直線方向の移動を規制するためのロック機構とは別に、回転方向の移動を規制する回転規制機構部が設けられている。
【先行技術文献】
【特許文献】
【０００４】
【特許文献１】実用新案登録第３１８６７５９号公報。
【発明の概要】
【発明が解決しようとする課題】
【０００５】
上述したように従来の固定ユニットは、直線方向の移動を規制するロック機構とは別に、回転方向の移動を規制する回転規制機構部を必要としている。そのため、回転規制機構部を構成するための部品等が必要となり、部品点数が多く、これに伴って組立作業時間も長くなる。その結果、コストが高くなっている問題があった。
【０００６】
また、従来の固定ユニットは、回転規制機構部を必要とする。そのため、ロッドや固定ユニット全体の形状を回転規制機構部に合わせた形状にする必要がある。したがって、市販のロッドを使用することができず、専用のロッドを用意する必要があるので、コストが高くなっている問題があった。
【０００７】
そこで、市販のロッドの使用を可能にすると共に、部品点数の低減と組立時間の短縮を可能にしてコストの低減を図り、安価なロッド固定ユニットを提供するために解決すべき技術的課題が生じてくるのであり、本発明はこの課題を解決することを目的とする。
【課題を解決するための手段】
【０００８】
本発明は上記目的を達成するために提案されたものであり、請求項１に記載の発明は、断面角形をしたロッドの途中に物体を解除可能に固定するロッド固定ユニットであって、上下の壁部に、前記ロッドの貫通を許容し、かつ前記ロッドの軸回りの回転を規制する角形孔として形成された開口部を各々設けて、前記ロッドに対して上下方向移動可能に取り付けられたケースと、前記ロッドを挟んで前記ケースの内面にそれぞれ固定して取り付けられていると共に、互いに対向する面に前記ケースの上壁部側から下壁部側に向かうに従って徐々に外側へ開く傾斜状をした楔面を有する１対のレールと、前記１対のレールの前記楔面と前記ロッドの側面との間に各々噛み込ませる１対のローラと、前記ローラの両端を支持して前記ローラを回転自在に保持する切欠部と、前記ロッドの貫通を許容する開口と、を有して、前記ロッドに上下方向移動可能に取り付けられたリテーナと、前記開口を挟んで対向するように設けられ、前記１対のローラが前記１対のレールの楔面と前記ロッドとの間に噛み込む方向へ、前記リテーナをバネ付勢している弾性部材と、前記１対のローラによる前記噛み込みを解放可能なリリーススイッチと、を備えるロッド固定ユニットを提供する。
【０００９】
この構成によれば、ケースの上下の壁部側に設けられた上下の角形孔として形成された開口部に、該開口部の形状と同じ断面角形をしたロッドを貫通挿入させることにより、ロッド固定ユニットがロッドの軸回りに回転するのを規制し、ロッド固定ユニットを上下方向にだけ直線移動できるようにしている。したがって、従来構造で必要としていた回転規制機構部を構成する部材等が不要になり、構造の簡略化と部品点数の低減が可能になる。
【００１０】
また、ロック時には、１対のローラがレールの楔面とロッドとの間の隙間にそれぞれ噛み込んでロック状態を形成し、ロッド固定ユニットの下方向への直線移動を規制する。反対に、ロックを解除する場合は、リリーススイッチを弾性部材のバネ付勢に抗して下側にスライドさせると、このリリーススイッチと共にリテーナもローラと一体に下側に移動し、１対のローラがレールの楔面とロッドとの間の隙間からそれぞれ抜け出し、ロック状態が解除される。そして、このロックの解除により、ロッド固定ユニットの全体を物体と共に、ロッドに対して上方向または下方向に移動させることができる。また、高さが決定したら、リリーススイッチを離すと、弾性部材の復帰バネ力により、リテーナとローラ及びリリーススイッチが共に上方にスライドされ、その１対のローラがそれぞれレールの楔面とロッドとの間の隙間に噛み込み再びロックされる。
【００１１】
請求項２に記載の発明は、請求項１に記載の構成において、前記レールの前記楔面と前記ローラと前記リリーススイッチを、前記ロッドの平面状をした側面に対向配置してなる、ロッド固定ユニットを提供する。
【００１２】
この構成によれば、前記レールの前記楔面と前記ローラと前記リリーススイッチを、それぞれ前記ロッドの平面状をした側面に対向させて配置しているので、特にローラの、ロッドの側面に対する座り(密着性)が良くなり、ロック及び保持効果が増す。
【００１３】
請求項３に記載の発明は、請求項１又は２に記載の構成において、前記ケースは、前記ロッドの側面と平行な側面に前記物体を固定する物体取付部を有し、前記ローラは、前記物体取付部と対向しているロッドの側面と略直交した位置にあるロッドの側面に対向して設けられている、ロッド固定ユニットを提供する。
【００１４】
この構成によれば、重量物である物体がケースの物体取付部に取り付けられると、ロッドは物体の重みで、その物体が取り付けられた前方向に撓み変形を起こし、ロッドの前後の側面が撓む。そして、ロッドの背面側における側面と対向するローラの噛み込みは緩く、ロッドの前面側における側面と対向するローラの噛み込みは強くなり、前後におけるローラの噛み込み強さが異なってしまう。しかし、この構成では、ローラは、物体取付部と対向しているロッドの側面と直交した位置にあるロッドの側面に対向させて設けているので、例えロッドが前後に撓んだとしても、左右方向には撓むことがないので、左右のローラの噛み込み量は同じ状態に保持される。これにより、ロッドが前後に撓んだとしてもローラの噛み込みに影響を与えることがなく、物体の取り付けの有無に拘わらず、同じロック状態を保持する。
【００１５】
請求項４に記載の発明は、請求項１、２又は３に記載の構成において、前記ケースの上壁部側に、前記ロッドの貫通を許容する開口を有し、かつ前記ケースの上壁部側を密に閉じるステータを取り付けてなる、ロッド固定ユニットを提供する。
【００１６】
この構成によれば、ロッドを貫通させているケースの上壁部にロッドの貫通を許容する開口を有したステータを取り付け、そのステータで開口を密に閉じているので、内部に塵などの異物が侵入するのを防止できる。
【００１７】
請求項５に記載の発明は、請求項１、２、３又は４に記載の構成において、前記ケースの下壁部側に、前記ロッドの貫通を許容する開口を有し、かつ前記ケースの下壁部側を密に閉じるキャップを取り付けてなる、ロッド固定ユニットを提供する。
【００１８】
この構成によれば、ロッドを貫通させているケースの下壁部にロッドの貫通を許容する開口を有したキャップを取り付け、そのキャップでそれぞれの開口を密に閉じているので、内部に塵などの異物が侵入するのを防止できる。
【００１９】
請求項６に記載の発明は、請求項１、２、４又は５に記載の構成において、前記１対のレールは、異なる傾斜角で形成された楔面を有するレールと交換可能に形成してなる、ロッド固定ユニットを提供する。
【００２０】
この構成によれば、物体の重量等に応じたタイプのロッド固定ユニットを、レールを交換することによって簡単に製作することができる。これにより、タイプが異なってもレール以外では部材の共通化が図れ、コスト低減に寄与する。
【発明の効果】
【００２１】
本発明は、従来構造で必要としていた回転規制機構部を削減することができるので、構造の簡略化と部品点数の低減と組立時間の短縮が可能となる。これにより、コストを低減してロッド固定ユニットを安価に提供することができる。また、回転規制機構部を無くすことにより、ロッドの加工が不要になる。これにより、市販の角形パイプを使用することができるので、汎用性が図れる。
【図面の簡単な説明】
【００２２】
【図１】本発明に係るロッド固定ユニットを使用状態で示す斜視図である。
【図２】図１に示すロッド固定ユニットの部分を拡大して示す斜視図である。
【図３】図２のＡ−Ａ線断面図である。
【図４】ケースを取り外してロッド固定ユニットの内部構造を示す斜視図である。
【図５】図２に示すロッド固定ユニットの部分を分解して示す斜視図である。
【発明を実施するための形態】
【００２３】
本発明は市販のロッドの使用を可能にすると共に、部品点数の低減、及び組立時間の短縮を可能にしてコストの低減を図り、安価なロッド固定ユニットを提供するという目的を達成するために、断面角形をしたロッドの途中に物体を解除可能に固定するロッド固定ユニットであって、上下の壁部に、前記ロッドの貫通を許容し、かつ前記ロッドの軸回りの回転を規制する角形孔として形成された開口部を各々設けて、前記ロッドに対して上下方向移動可能に取り付けられたケースと、前記ロッドを挟んで前記ケースの内面にそれぞれ固定して取り付けられていると共に、互いに対向する面に前記ケースの上壁部側から下壁部側に向かうに従って徐々に外側へ開く傾斜状をした楔面を有する１対のレールと、前記１対のレールの前記楔面と前記ロッドの側面との間に各々噛み込ませる１対のローラを有して、前記ロッドに上下方向移動可能に取り付けられたリテーナと、前記１対のローラが前記１対のレールの楔面と前記ロッドとの間に噛み込む方向へ、前記リテーナをバネ付勢している弾性部材と、前記１対のローラによる前記噛み込みを解放可能なリリーススイッチと、を備えるようにしたことにより実現した。
【００２４】
以下、本発明の実施形態によるロッド固定ユニットをディスプレイスタンドに適用した場合を例に挙げ、図１乃至図５を参照しながら好適な実施例について詳細に説明する。なお、以下の説明では、上下や左右等の方向を示す表現は、絶対的なものではなく、本発明のロッド固定ユニットの各部が描かれている姿勢である場合に適切であるが、その姿勢が変化した場合には姿勢の変化に応じて変更して解釈されるべきものである。
【実施例】
【００２５】
図１は、本発明に係るロッド固定ユニット１０をディスプレイスタンド５０に適用した使用状態図である。すなわち、図１に示すディスプレイスタンド５０は、脚部５１上から垂直に立設されているロッド５２に、ロッド固定ユニット１０を介して物体としてのディスプレイ６０を取り付け、そのディスプレイ６０をロッド固定ユニット１０の規制の下で、垂直方向(高さ方向)に直線移動させ、移動後は、その移動された任意の高さ位置で解除可能に固定できるようになっている。
【００２６】
そのロッド５２は図１、図２、図４及び図５に示すように、４つの側面５２ａ、５２ｂ、５２ｃ、５２ｄを有する、断面が略正四角形をした棒状の角パイプであり、例えばアルミ鋼材やステンレス鋼材等で形成されている。このロッド５２は、一般に市販されている角パイプを使用しても構わない。
【００２７】
前記ロッド固定ユニット１０は、ケース１１と、ステータ１２と、１対のレール１３、１３と、リテーナ１４と、１対のローラ１５、１５と、キャップ１６と、１対のコイルスプリング１７、１７と、１対の取付ビス１８、１８等で構成されている。以下、各部材の詳細な構成を、主として図５の分解図を使用し、また必要に応じて他の図１〜図４を加えて説明する。
【００２８】
前記ケース１１は、亜鉛ダイカスト等の金属製であり、上壁部１１ａと、下壁部１１ｂと、４つの側壁部１１ｃ、１１ｄ、１１ｅ、１１ｆとを一体に有してなり、図３に示すように、これらの壁部１１ａ〜１１ｆで囲まれた内部には収納空間１９を設けて、概略四角形の箱体として形成されている。また、ケース１１の外側において、側壁部１１ｃには、該側壁部１１ｃの左右両端側からそれぞれ外側へ向かって反対方向に延びる、翼状をした物体取付部１１Ａが一体に設けられている。その各物体取付部１１Ａは、図１に示すようにディスプレイ６０の背面６０ａに取り付けられている取付ブラケット６１に密着して配置され、その後、ネジ６２を使用してディスプレイ６０側に固定して取り付けられる。これにより、ディスプレイ６０と一体化される。
【００２９】
また、ケース１１の上壁部１１ａ及び下壁部１１ｂには、それぞれロッド５２の貫通を許容する開口部２０ａ、２０ｂが形成されている。下壁部１１ｂの開口部２０ｂは、平面視において、ケース１１内の収納空間１９と略同じ大きさの角形貫通孔として形成されている。一方、上壁部１１ａの開口部２０ａは、平面視において、ケース１１内の収納空間１９よりも小さく、かつロッド５２の外形よりも大きな略正四角形状をした角形貫通孔として形成されている。
【００３０】
さらに、ケース１１の側壁部１１ｆには、下壁部１１ｂから上壁部１１ａ側に向かってスリット状に形成された切欠部２１が設けられている。また、側壁部１１ｃの下端側と側壁部１１ｅの下端側の互いに対向した位置には、それぞれ左右方向に細長く延びるスリット状をした係止用切欠孔２２、２２が設けられている。
【００３１】
前記ステータ１２は、樹脂成形体であり、平面視において、前記ケース１１内の収納空間１９と略同じ大きさの角形形状をした扁平ブロック体として形成されている。このステータ１２は、ケース１１の収納空間１９内において、前記１対のレール１３、１３を、それぞれ側壁部１１ｄの内面と側壁部１１ｆの内面に固定するための部材である。また、ステータ１２の中央には、ロッド５２を上下に貫通させるための角形をした開口２４が、ケース１１の開口部２０ａと対応して形成されている。その開口２４は、開口部２０ａよりも小さく、かつロッド５２の水平断面視の外形と略等しく形成されている。そして、開口２４にはロッド５２が密の状態で摺動可能に挿入され、開口２４とロッド５２との隙間からケース１１の内部(収納空間１９内)に塵などの異物が侵入しないように設定されている。
【００３２】
また、ケース１１の側壁部１１ｄ及び側壁部１１ｆとそれぞれ対向し合っているステータ１２の側壁部１２ｄ及び側壁部１２ｆには、前記１対のレール１３、１３を固定保持するためのレール固定保持部２５、２５が各々形成されている。そのレール固定保持部２５、２５は、図５で明らかのように、側壁部１２ｄ、１２ｆから内側(開口２４側)に向かって切欠されてなる、側面視において略Ｔ字状をした凹部として形成されている。さらに、ステータ１２には、側壁部１２ａ、１２ｅの近傍に位置して、それぞれ上下方向に貫通している１対の取付孔２６、２６が設けられている。この１対の取付孔２６、２６には、図４に示すように、それぞれ取付ビス１８、１８が挿通されて、ケース１１に固定して取り付けられる。
【００３３】
前記１対のレール１３、１３は、鉄系焼結材で作られており、また互いに左右対称形に形成されている。図３に示すように、ケース１１の側壁部１１ｄの内面及び側壁部１１ｆの内面とそれぞれ対向している各レール１３、１３の背面側は、それぞれ側壁部１１ｄ及び側壁部１１ｆの各内面と同じ平面状に形成されている。一方、ロッド５２の側面５２ｂ及び側面５２ｄとそれぞれ対向している各レール１３、１３の前面側は、それぞれケース１１の上壁部１１ａ側から下壁部１１ｂ側に向かうに従って徐々に外側へ開く傾斜状をした楔面２７として形成されている。また、各楔面２７、２７には、前記１対のローラ１５、１５の大径部１５ａが転動可能に係合されて、該１対のローラ１５、１５が前後方向に移動しないように規制するためのレール溝２８、２８が設けられている。なお、各レール溝２８、２８の深さは、各ローラ１５、１５の大径部１５ａと小径部１５ｂとの略段差分である。また、各レール溝２８、２８内の楔面２７ａ及び該レール溝２８、２８の両側に沿って各々形成されている楔面２７ｂは、共に同じ傾きを有して平行に形成されている。
【００３４】
さらに、前記１対の各レール１３、１３の上端部には、それぞれ前記ステータ１２のレール固定保持部２５、２５に挿入係止可能な係止片部２９、２９が形成されている。そして、各レール１３、１３は、ステータ１２をケース１１に組み込む時に、そのステータ１２と共にケース１１の収納空間１９内に収容されて、ケース１１内に各々固定して取り付けられる。
【００３５】
前記リテーナ１４は、樹脂成形体であり、平面視において、前記ケース１１の収納空間１９と略同じ角形形状をしたブロック体として形成されている。また、リテーナ１４は、底面部１４ａと該底面部１４ａの前後の端部から平行に、それぞれが上方に向かって垂直に形成された前後１対の垂直壁部１４ｂ、１４ｃを有して、断面視略上向きコ字状に形成されている。なお、リテーナ１４は、前側の垂直壁部１４ｂをケース１１の前側の側壁部１１ｃと対向させると共に、後側の垂直壁部１４ｃをケース１１の後側の側壁部１１ｅと対向させた状態にして、ケース１１の前記収納空間１９内に収容されるものである。そして、底面部１４ａには、前記ロッド５２の貫通を許容する平面視四角形をした開口３０が設けられている。その開口３０は、ロッド５２の外形よりも大きく、ロッド５２との間に十分な余裕を持たせて形成されている。
【００３６】
また、前記リテーナ１４において、前後の垂直壁部１４ｂ、１４ｃの左右の端部１４ｄ、１４ｅには、それぞれ前記１対のローラ１５、１５を回転自在に保持するスリット状をしたローラ保持用の切欠部３１、３１が設けられている。その切欠部３１、３１には、ローラ１５の大径部１５ａを間に配置させた状態にして、小径部１５ｂ、１５ｂが各々挿入係合され、その切欠部３１、３１内で小径部１５ｂ、１５ｂを回転可能に保持するものである。したがって、この保持により、１対のローラ１５、１５は、前後の垂直壁部１４ｂ、１４ｃに回転自在に支持される。
【００３７】
さらに、前記リテーナ１４において、前後の垂直壁部１４ｂ、１４ｃには、その外面下端側からそれぞれ前後方向に延出された突出片１４ｆ、１４ｆが設けられている。また、その各突出片１４ｆ、１４ｆには、それぞれ下側に向かって突出された位置決めピン１４ｇ、１４ｇが各突出片１４ｆ、１４ｆと一体に形成されている。その位置決めピン１４ｇ、１４ｇには、弾性部材としてのコイルスプリング１７が各々装着される。
【００３８】
加えて、前記リテーナ１４において、前記底面部１４ａには、ケース１１の切欠部２１に対応して、リリーススイッチ３２が一体に設けられている。そのリリーススイッチ３２は、リテーナ１４の底面部１４ａから外側(ケース１１の側壁部１１ｆ方向)に向かって水平に延出形成されてなるスイッチ用延長片３２ａと、該スイッチ用延長片３２ａの先端に直角(ケース１１の側壁１１ｆに対して平行)な姿勢で形成されているツマミ部３２ｂとでなる。
【００３９】
前記キャップ１６は、樹脂成形体であり、平面視において、前記ケース１１内の収納空間１９と略同じ大きさの角形形状をした扁平ブロック体として形成されている。このキャップ１６は、ケース１１の下壁部１１ｂに、そのケース１１の下側の開口部２０ｂを閉じて装着するための部材である。
【００４０】
また、前記キャップ１６は、前記ケース１１の開口部２０ｂを閉じる正四角形の底面部１６ａと、底面部１６ａの外側端部から上方に向かって立設された外側壁部１６ｂと、底面部１６ａの中央に形成されている角形貫通孔３３の外周を囲って形成されている角形筒部１６ｃと、を一体に有している。その外側壁部１６ｂは、ケース１１の開口部２０ｂからケース１１内に密に嵌合されて、該開口部２０ｂを密に閉じて取り付けられるものである。また、嵌合された時にケース１１の切欠部２１の下方部分に挿入されて、該切欠部２１の下方部分を塞ぐ突出部１６ｄと、ケース１１の側壁部１１ｃと側壁部１１ｅにそれぞれ形成されている係止用切欠部２２、２２に各々係止される係止爪１６ｅ、１６ｅと、が設けられている。なお、係止爪１６ｅ、１６ｅを設けた外側壁部１６ｂには、キャップ１６をケース１１の開口部２０ｂに挿入する時に、外側壁部１６ｂの一部が内側に撓み変形して係止爪１６ｅ、１６ｅを逃げ易くするためのスリット状の切り込み１６ｆ、１６ｆを、各係止爪１６ｅ、１６ｅの両側に各々設けている。一方、角形筒部１６ｃは、前記リテーナ１４の開口３０内にスライド係合配置されて、リテーナ１４の上下方向の移動を案内する。その角形筒部１６ｃの貫通孔３３は、ロッド５２の外形と略等しく形成されており、貫通孔３３に挿入されたロッド５２を密の状態で摺動可能に保持し、貫通孔３３とロッド５２との隙間からケース１１の内部に塵などの異物が侵入しないように設定されている。
【００４１】
次に、このように構成されている各部材でなるロッド固定ユニット１０の組立手順の一例を説明する。
【００４２】
まず、ステータ１２とレール１３、１３をケース１１内に取り付ける。この取り付けでは、楔面２７、２７を互いに向かい合わせた状態で、レール１３、１３の係止片部２９、２９を、ステータ１２の側壁部１２ｄ、１２ｆに設けられているレール固定保持部２５、２５に、その側面方向より各々係合させ、各レール１３、１３をステータ１２で吊り下げた状態にする。
【００４３】
次いで、ケース１１の下壁部１１ｂの開口部２０ｂから収納空間１９内に、ステータ１２を各レール１３、１３と共に、そのステータ１２の上面がケース１１の上壁部１１ａの裏面(内面)に当接して位置決めされるまで挿入する。ここでの挿入は、各レール１３、１３がケース１１の側壁部１１ｄ、１１ｆと対向するようにして、取り付けられる。
【００４４】
また、ケース１１内でステータ１２が当接位置決めされたら、ステータ１２の下側からビス取付孔２６を通して、この取付ビス１８をケース１１の上壁部１１ａの裏面にネジ止めすると、ステータ１２がケース１１の上壁部１１ａに固定される。そして、ステータ１２がケース１１の上壁部１１ａの裏面にネジ止めされると、レール１３、１３の係止片部２９が、レール固定保持部２５、２５とケース１１の上壁部１１ａとで上下方向から挟まれた状態になり、レール１３、１３もそれぞれ楔面２７を内側(ロッド５２側)に向けてケース１１内に固定される。
【００４５】
次いで、リテーナ１４と１対のローラ１５、１５をケース１１内に取り付ける。この取り付けでは、ローラ１５、１５の小径部１５ｂ、１５ｂをリテーナ１４の切欠部３１、３１に係合させた状態にして、リテーナ１４と１対のローラ１５、１５を一体化する。そして、この一体化した状態で、各ローラ１５、１５と共にリテーナ１４を、ケース１１の下壁部１１ｂの開口部２０ｂから収納空間１９内に挿入する。ここでの挿入は、各ローラ１５、１５が各レール１３、１３の楔面２７、２７と対向するようにして挿入される。また、所定の位置まで挿入されると、ローラ１５、１５の各大径部１５ａ、１５ａが各レール１３、１３の楔面２７ａに当接した状態でレール溝２８内に係合配置されるとともに、リリーススイッチ３２のツマミ部３２ｂがケース１１の側壁部１１ｆの外側において側壁部１１ｆと平行に配置された状態で、スイッチ用延長片３２ａが切欠部２１に係合される。
【００４６】
次いで、リテーナ１４の各位置決めピン１４ｇ、１４ｇにそれぞれコイルスプリング１７、１７を装着する。なお、このコイルスプリング１７、１７の長さは、位置決めピン１４ｇ、１４ｇの長さよりも十分大きく、また収納空間１９内では圧縮された状態で配置されるように設定されている。
【００４７】
続いて、ケース１１の下壁部１１ｂの開口部２０ｂに、キャップ１６を挿入する。この場合、キャップ１６の係止爪１６ｅ、１６ｅがケース１１の係止用切欠部２２、２２と対応し、突出部１６ｄがケース１１の切欠部２１と対応するようにして挿入する。そして、キャップ１６が所定の位置まで挿入されると、キャップ１６の角形筒部１６ｃがリテーナ１４の開口３０内に挿入されると共に、コイルスプリング１７、１７の下端側がキャップ１６の底面部１６ａの内側に当接される。また、更に挿入させると、コイルスプリング１７、１７を圧縮させながら、また、スプリング１７、１７の復元力(バネ力)でリテーナ１４を上方(図３中の矢印Ｕ方向)に押圧しながら挿入される。さらに、キャップ１６の突出部１６ｄが切欠部２１に挿入係合しながら、キャップ１６が最終の所定の位置まで挿入される。キャップ１６が最終の所定の位置まで挿入されると、キャップ１６の係止爪１６ｅがケース１１の係止用切欠部２２に各々落ち込んで係合される。そして、この係合によりキャップ１６が抜け止めされて、ケース１１の下壁部１１の開口２０ｂにキャップ１６が固定して取り付けられる。これにより、ロッド固定ユニット１０の組立が完了する。
【００４８】
このように構成されたロッド固定ユニット１０は、リリーススイッチ３２のツマミ部３２ｂが、ケース１１の側壁部１１ｆの外側で該側壁部１１ｆと平行に配置されていて、またリテーナ１４はコイルスプリング１７、１７の付勢力(バネ力)で上方(図３の矢印Ｕ方向)に押し上げられ、ローラ１５、１５が楔面２７、２７に圧接されたロック位置に保持されている。
【００４９】
そして、ロック状態を解除する場合は、コイルスプリング１７、１７の付勢力に抗して、ツマミ部３２ｂを指などで下側(図３の矢印Ｄ方向)にスライド押下させると、ツマミ部３２ｂと一体にリテーナ１４がローラ１５、１５と共に下側に移動される。そして、ローラ１５、１５を楔面２７、２７から離して非ロック状態にすることができるようになっている。
【００５０】
次に、ロッド固定ユニット１０における動作の一例を説明する。まず、ロッド５２に固定ユニット１０を取り付ける場合は、ロッド５２の上端側において、リリーススイッチ３２のツマミ部３２ｂを押し下げて非ロックとした状態で、ロッド５２をキャップ１６の貫通孔３３からケース１１内に差し込む。これにより、ロッド５２は、キャップ１６の貫通孔３３と、リテーナ１４の開口３０と、ステータ１２の開口２４を順に通って、ケース１１の下壁部１１ｂから上壁部１１ａまで貫通し、該ケース１１の上壁部１１ａから上方に突き出す。そして、ロッド固定ユニット１０を、ロッド５２の所定の位置まで下方(あるいは上方)に直線移動させることがでる。
【００５１】
また、ロッド固定ユニット１０がロッド５２の所定の位置に移動して配置されたら、リリーススイッチ３２のツマミ部３２ｂを押し下げていた指を離す。これにより、リテーナ１４はコイルスプリング１７、１７の付勢力で上方(図３の矢印Ｕ方向)に押し上げられ、ローラ１５、１５が楔面２７、２７とロッド５２の側面５２ｂ、５２ｄとの間に噛み込んでロック状態になり、その位置で保持される。また、このロック状態では、ケース１１を下方に移動させようとする外力が働くと、楔面２７とロッド５２との間にローラ１５が更に噛み込んで行く状態となるので、ロック状態がより強まる。したがって、大きな外力が加わっても、大きなロック力が働いて確実にロックされる。
【００５２】
さらに、ロッド５２上の固定位置を再度変更したい場合は、指などで再びリリーススイッチ３２のツマミ部３２ｂを、スプリング１７、１７の付勢力に抗して押し下げる。すると、ローラ１５がリテーナ１４及びリリーススイッチ３２と共に押し下げられ、楔面２７とロッド５２との間におけるローラ１５の噛み込みが解かれて非ロック状態になる。これにより、ロッド５２に対するロッド固定ユニット１０の位置を再度変更することができる。また、変更後は、ツマミ部３２ｂの押し下げを解除すると、再びロック状態に復帰して、その位置に保持することができる。
【００５３】
なお、上記動作説明では、ケース１１にディスプレイ(物体)６０を取り付けていない状態で説明したが、ケース１１の物体取付部１１Ａにディスプレイ６０を予め取り付けた状態でロッド５２に取り付けても良いし、あるいはディスプレイ６０を後からケース１１の物体取付部１１Ａに取り付けても良い。
【００５４】
したがって、本発明のロッド固定ユニット１０では、ロッド５２を、断面が略正四角形をした汎用性のある棒状の角パイプを使用し、また、ロッド５２を貫通させる貫通孔３３、開口３０、２４を、ロッド５２の断面角形形状に合わせて角孔にしている。したがって、ロッド固定ユニット１０は、上下の直線方向に対しては移動できるが、ロッド５２の軸回りに回転するのは規制される。これにより、従来構造で必要としていた回転規制機構部の部材等を必要としないので、構造の簡略化と部品点数の低減が可能になる。
【００５５】
また、ロック状態から非ロック状態への切り換えは、リリーススイッチ３２のツマミ部３２ｂを指などで押し下げる操作を行うことにより、簡単に行うことができるので、操作の簡略化が図れる。
【００５６】
また、ケース１１の物体取付部１１Ａを側壁部１１ｃ側に設けるとともに、ローラ１５、１５を物体取付部１１Ａと対向しているロッド５２の側面５２ａと直交した位置にある側面５２ｂと側面５２ｄにそれぞれ対向させて設けている。これは、重量物であるディスプレイ(物体)６０がケース１１の物体取付部１１Ａに取り付けられると、ロッド５２にはディスプレイ(物体)６０が取り付けられた前後に撓み変形を起こす。しかし、本実施例の構造では、ローラ１５、１５を物体取付部１１Ａと対向しているロッド５２の側面５２ａと直交した位置にあるロッド側面５２ｂ、５２ｄに対向させて設けているので、例えロッド５２が前後に撓んでも、左右方向には撓むことがないので、ローラ１５、１５の噛み込みに影響を与えることはない。したがって、物体の取り付けの有無に拘わらず、同じロック状態を確実に保持することができる。
【００５７】
また、ケース１１の上壁部１１ａ側にステータ１２を設けるとともに、ケース１１の下壁部１１ｂ側にキャップ１６を設け、ステータ１２とキャップ１６とでケース１１とロッド５２との間を密に閉じているので、ケース１１の内部に塵などの異物が侵入するのを防止できる。
【００５８】
また、ロッド固定ユニット１０では、リリーススイッチ３２を操作することにより、ロッド５２に対して自由に着脱することができるので、例えば物体取付部１１Ａ等が異なるタイプのロッド固定ユニットと交換して使用したり、あるいは物体取付部１１Ａにディスプレイ(物体)６０を取り付けたままの状態で、ロッド５２からディスプレイ(物体)６０と共に脱着することができる。したがって、取り扱いが簡単になる。さらには、異なる傾斜角で形成された楔面２７を有したレール１３、１３を設けてなるロッド固定ユニット１０と交換して使用したりすることも可能になる。
【００５９】
なお、上記実施例では、ケース１１の上壁部１１ａ側にステータ１２を設け、そのステータ１２の開口２４を貫通させてロッド５２を設け、そのステータ１２で開口２４とロッド５２との間に密閉性を持たせるようにして、収納空間１９内への塵などの侵入を防止するようにした構成を開示した。しかし、上壁部１１ａの開口部２０ａとロッド５２との間に密閉性を持たせて、開口部２０ａとロッド５２との間で塵などの侵入を防止するようにしてもよい。
【００６０】
また、ロッド５２は、断面正四角形のロッドを使用したが、断面が五角形、六角形等であっても良い。その場合、ロッド５２が貫通する各孔もロッド５２の形状に合わせて、ロッド５２が回転をしない角形孔にすることが好ましい。
【００６１】
また、本発明は、本発明の精神を逸脱しない限り種々の改変を為すことができ、そして、本発明が該改変されたものに及ぶことは当然である。
【産業上の利用可能性】
【００６２】
以上説明したように、本発明はディスプレイ用スタンドに適用した場合について説明したが、これ以外に医療用の点滴スタンド等にも使用することができる。
【符号の説明】
【００６３】
１０      ロッド固定ユニット
１１      ケース
１１Ａ    物体取付部
１１ａ    上壁部
１１ｂ    下壁部
１１ｃ、１１ｄ、１１ｅ、１１ｆ    側壁部
１２      ステータ
１２ａ、１２ｄ、１２ｅ、１２ｆ  側壁部
１３      レール
１４      リテーナ
１４ａ    底面部
１４ｂ    垂直壁部
１４ｃ    垂直壁部
１４ｄ、１４ｅ  端部
１４ｆ    突出片    
１４ｇ    位置決めピン
１５      ローラ
１５ａ    大径部
１５ｂ    小径部
１６      キャップ
１６ａ    底面部
１６ｂ    外側壁部
１６ｃ    角形筒部
１６ｄ    突出部
１６ｅ    係止爪
１６ｆ    切り込み
１７      スプリング
１８      取付ビス
１９      収納空間
２０ａ    開口部
２０ｂ    開口部
２１      切欠部
２２      係止用切欠部
２４      開口
２５      レール固定保持部
２６      取付孔
２７      楔面
２７ａ    楔面
２７ｂ    楔面
２８      レール溝
２９      係止片部
３０      開口
３１      切欠部
３２      リリーススイッチ
３２ａ    スイッチ用延長片
３２ｂ    ツマミ部
３３      貫通孔
５０      ディスプレイスタンド
５１      脚部
５２      ロッド
５２ａ、５２ｂ、５２ｃ、５２ｄ    側面
６０      ディスプレイ(物体)
６１      取付ブラケット
６２      ネジ
【図１】
0006661357.tif 000002
【図２】
0006661357.tif 000003
【図３】
0006661357.tif 000004
【図４】
0006661357.tif 000005
【図５】
0006661357.tif 000006